(57)【特許請求の範囲】
【請求項１】
透水性コンクリートによって形成されたコンクリート部の表面に、その一端に係止部を有するとともにその他端に前記コンクリート部に定着されたアンカー部を有し、さらにその中間部に前記コンクリート部の型枠に固定されるプレートを有するフック部材が前記係止部を露出させて埋設され、植物を根付かせるための植生基盤が前記フック部材の係止部に係止されて前記コンクリート部の表面に固定されていることを特徴とする緑化コンクリート。
【請求項２】
透水性コンクリートによって形成されたコンクリート部の表面に、その一端に係止部を有するとともにその他端に前記コンクリート部に定着されたアンカー部を有し、さらにその中間部に前記コンクリート部の型枠に固定されるプレートを有するフック部材が前記係止部を露出させて埋設され、前記コンクリート部の表面に沿ったネットが前記フック部材の係止部に係止され、前記植生基盤が前記ネット上に形成されていることを特徴とする緑化コンクリート。
【請求項３】
一端に係止部を有する複数のフック部材にネットを取り付けるとともに、緑化コンクリートの表面を形成するための型枠にコンクリートが固まるのを遅れさせる遅延剤を塗布しておき、次いで、前記型枠に前記フック部材とネットとを取り付け、しかる後に型枠内にコンクリートを打設し、前記遅延剤を塗布した前記型枠に接する部分のコンクリートが硬化する前に該コンクリートを水洗いし、しかる後に植物を根付かせるための植生基盤を前記ネット上に形成することを特徴とする緑化コンクリートの形成方法。
【発明の詳細な説明】
【０００１】
【発明の属する技術分野】
本発明は、コンクリートで形成された部分に植物を植えるために用いて好適な緑化コンクリートおよびその形成方法に関するものである。
【０００２】
【従来の技術】
従来、例えば海，川，湖等の水辺の岸、及び道路法面、治山法面等は、治水、法面保護のためにコンクリートで固められている。しかし、近年、水辺のアメニティ向上のため、岸を透水性を有した多孔質の緑化コンクリートで形成し、コンクリートに形成されている孔（空隙）に植物を根付かせる（着床させる）ことによって緑化を図ることが行われている。
【０００３】
【発明が解決しようとする課題】
しかしながら、上述したような従来の緑化コンクリートには、以下のような問題が存在する。
すなわち、多孔質の緑化コンクリートに植物を根付かせるには、コンクリートに多数形成されている孔を利用するが、従来は孔の小さな緑化コンクリートしかなく、例えば苔や芝草等の小さな植物しか根付かせることができないのが現状であった。
このため、大きな植物を植えるためには、大きな窪みを形成したコンクリートブロックを緑化コンクリートとして設置せざるを得ず、これではコストが高く、施工の手間もかかるという問題がある。
本発明は、以上のような点を考慮してなされたもので、大きな植物も根付かせることができ、容易かつ低コストで形成することのできる緑化コンクリートおよびその形成方法を提供することを課題とする。
【０００４】
【課題を解決するための手段】
請求項１に係る発明は、透水性コンクリートによって形成されたコンクリート部の表面に、その一端に係止部を有するとともにその他端に前記コンクリート部に定着されたアンカー部を有し、さらにその中間部に前記コンクリート部の型枠に固定されるプレートを有するフック部材が前記係止部を露出させて埋設され、植物を根付かせるための植生基盤が前記フック部材の係止部に係止されて前記コンクリート部の表面に固定されていることを特徴としている。このようにしてコンクリート部に埋設されたフック部材に植生基盤を係止することによって、この植生基盤を確実に固定することができ、ここに植物を根付かせて緑化を図ることができる。
【０００５】
請求項２に係る発明は、透水性コンクリートによって形成されたコンクリート部の表面に、その一端に係止部を有するとともにその他端に前記コンクリート部に定着されたアンカー部を有し、さらにその中間部に前記コンクリート部の型枠に固定されるプレートを有するフック部材が前記係止部を露出させて埋設され、前記コンクリート部の表面に沿ったネットが前記フック部材の係止部に係止され、前記植生基盤が前記ネット上に形成されていることを特徴としている。これにより、植生基盤がずれないようにネットで固定することができる。
【０００６】
請求項３に係る発明は、一端に係止部を有する複数のフック部材にネットを取り付けるとともに、緑化コンクリートの表面を形成するための型枠にコンクリートが固まるのを遅れさせる遅延剤を塗布しておき、次いで、前記型枠に前記フック部材とネットとを取り付け、しかる後に型枠内にコンクリートを打設し、前記遅延剤を塗布した前記型枠に接する部分のコンクリートが硬化する前に該コンクリートを水洗いし、しかる後に植物を根付かせるための植生基盤を前記ネット上に形成することを特徴としている。このように、遅延剤を塗布した型枠にネットを取り付けておくことによって、この型枠面に接する部分のコンクリートのみが硬化が遅れるので、これを水洗いすると、ネットを、既に硬化した部分のコンクリートの表面から離すことができ、しかる後に植生基盤を取り付けることによって、請求項２に係る緑化コンクリートを形成することができる。
【０００７】
【発明の実施の形態】
以下、本発明に係る緑化コンクリートおよびその形成方法の第一および第二の実施の形態について、図１ないし図６を参照して説明する。
【０００８】
［第一の実施の形態］
図１に示すように、緑化コンクリートＣは、透水性コンクリート（コンクリート）１によって形成されたコンクリート部２の表層部に、複数のフック部材３，３，…が埋設され、植物を根付かせるための植生基盤４がこれらフック部材３に係止された構成となっている。
各フック部材３は、その一端が略Ｊ字状に折り曲げられた係止部３ａとされ、他端が略Ｊ字状に折り曲げられたアンカー部３ｂとされ、さらに中間部には略矩形のプレート３ｃが取り付けられた構成とされている。
植生基盤４は、例えば植生シート，マット，土嚢等からなり、各フック部材３の係止部３ａに係止されることによってコンクリート部２の上面に固定されている。
【０００９】
次に、このような構成からなる緑化コンクリートＣの形成方法について説明する。
これにはまず、緑化コンクリートＣを形成するための型枠を組み立てる。このとき、図２に示すように、緑化コンクリートＣの上面を形成するための平板状の上部型枠５にフック部材３を取り付ける。なお、図３に示すように、フック部材３は、この状態では、図１に示した係止部３ａは形成されておらず、棒状に伸ばされた形状とされている。そして、この状態のフック部材３を上部型枠５の所定位置に形成された穴（図示なし）に通し、プレート部３ｃに形成されている固定用穴３ｄを用いて釘等で上部型枠５に固定する。
【００１０】
そして、緑化コンクリートＣの側面を形成するために先に組み立てた周囲型枠（図示なし）上に上部型枠５をセットし、この型枠内に透水性コンクリート１を打設する。
【００１１】
打設した透水性コンクリート１が硬化した後、上部型枠５および周囲型枠（図示なし）を解体する。すると透水性コンクリート１によって形成されたコンクリート部２の表面には、フック部材３，３，…が埋設された状態となる。
続いて、コンクリート部２の表面から突出する各フック部材３の端部を略Ｊ字状に折り曲げて係止部３ａを形成する。
【００１２】
しかる後に、コンクリート部２の表面に、植生シート，マット，土嚢等からなる植生基盤４を載せ、これをフック部材３の係止部３ａに係止させることによって、緑化コンクリートＣが形成される。
【００１３】
上述した緑化コンクリートＣでは、コンクリート部２の表面に係止部３ａを露出させた状態でフック部材３が埋設され、植生シート，マット，土嚢等の植生基盤４をこれら係止部３ａに係止させることによってこの植生基盤４がコンクリート部１の表面に固定された構成となっている。これによって、この植生基盤４を確実に固定することができ、緑化コンクリートＣの全面に植物を根付かせて緑化を図ることができる。このとき、従来のように、コンクリート中に植物を根付かせたり、コンクリート部の表面に凹部を形成してここに植物を根付かせる必要もないので、低コストでかつ施工も容易に行うことができる。
【００１４】
［第二の実施の形態］
次に、本発明に係る緑化コンクリートおよびその形成方法の第二の実施の形態について図４ないし図６を参照して説明する。
図４に示すように、緑化コンクリートＣ’は、透水性コンクリート（コンクリート）１１によって形成されたコンクリート部１２の表層部に、複数のフック部材１３，１３，…が埋設され、コンクリート部１２の表面に沿って延在するネット１４がこれらフック部材１３に係止され、植物を根付かせるための植生基盤１５がこのネット１４上に形成された構成となっている。
【００１５】
各フック部材１３は、その一端が略Ｊ字状の係止部１３ａとされ、他端が略Ｊ字状のアンカー部１３ｂとされ、さらに中間部には略矩形のプレート１３ｃが取り付けられた構成とされている。
ネット１４は、各フック部材１３の係止部１３ａに係止されている。
また、植生基盤１５は、例えば吹き付け土壌，植生シート，マット等からなり、コンクリート部１２上のネット１４上に形成されることによって、コンクリート部１２の上面でずれにくくなっている。
【００１６】
次に、このような構成からなる緑化コンクリートＣ’の形成方法について説明する。
これにはまず、図５に示すように、ネット１４の所定の位置に、フック部材１３，１３，…をそれぞれの係止部１３ａで係止させる。
【００１７】
次いで、緑化コンクリートＣ’の上面を形成するための平板状の上部型枠（型枠）１６に、まず、コンクリートの硬化を遅らせるための遅延剤１７を塗布する。続いて、この上部型枠１６にフック部材１３とネット１４とを取り付ける。これには、図６に示すように、各フック部材１３のプレート１３ｃに形成されている固定用穴１３ｄを用い、釘等で各フック部材１３を上部型枠１６に取り付けることによってネット１４を取り付けるようになっている。
【００１８】
そして、緑化コンクリートＣ’の側面を形成するために先に組み立てた周囲型枠（図示なし）上に上部型枠１６をセットし、この型枠内に透水性コンクリート１１を打設する。
【００１９】
この後、打設した透水性コンクリート１１が硬化し始めるが、上部型枠１６に面している部分の透水性コンクリート１１は、上部型枠１６に塗布されている遅延剤１７によって、その硬化が下方の他の部分に比較して遅れるようになっている。そして、遅延剤１７によって硬化が遅れている部分以外の透水性コンクリート１１が硬化した後、前記硬化が遅れている部分の透水性コンクリート１１が硬化する前に、上部型枠１６および周囲型枠（図示なし）を解体する。するとこの状態で、透水性コンクリート１１によって形成されたコンクリート部１２には、フック部材１３，１３，…が埋設され、ネット１４は硬化が遅れている部分の透水性コンクリート１１中に埋設された状態となっている。
【００２０】
続いて、透水性コンクリート１１を水で洗う。すると、遅延剤１７によって硬化が遅れている部分の透水性コンクリート１１が水によって流され、ここに埋まっていたネット１４を、既に硬化している部分の透水性コンクリート１１からなるコンクリート部１２の上面から離すことができる。
【００２１】
この後、コンクリート部１２上に、吹き付け土壌，植生シート，マット等からなる植生基盤１５を載せる。するとこの植生基盤１５は、コンクリート部１２上のネット１４によって、ズレないよう固定された状態となり、これによって緑化コンクリートＣ’が形成される。
【００２２】
上述した緑化コンクリートＣ’およびその形成方法によれば、ネット１４がコンクリート部１２の表面に埋設されたフック部材１３の係止部１３ａに係止され、植生基盤１５がネット１４上に形成された構成となっている。これにより、吹き付け土壌，植生シート，マット等の植生基盤１５がずれないようにネット１４で固定することができる。このような植生基盤１５を有した緑化コンクリートＣ’により、その全面に植物を根付かせて緑化を図ることができる。このとき、この緑化コンクリートＣ’は、従来のように、コンクリート中に植物を根付かせたり、コンクリート部の表面に凹部を形成してここに植物を根付かせる必要もないので、低コストでかつその施工も容易に行うことができる。
また、この緑化コンクリートＣ’を形成するに際しては、遅延剤１７を塗布した上部型枠１６にネット１４を取り付け、透水性コンクリート１１を打設した後、上部型枠１６に接する部分の透水性コンクリート１１が硬化する前に、これを水洗いし、しかる後に植生基盤１５をネット１４上に形成するようになっている。このように、遅延剤１７によって一部の透水性コンクリート１１の硬化を遅らせ、これを水洗いすることによって、ここに埋まっているネット１４を既に硬化した部分の透水性コンクリート１１の表面から離すことができ、施工の容易化を図ることができる。
【００２３】
なお、上記第一および第二の実施の形態において、緑化コンクリートＣ，Ｃ’の形成は、現場打ち工法、あるいは型枠内に打設してパネル化した後に現場に搬入するいわゆるプレキャスト工法のいずれであってもよい。なお、プレキャスト化する場合には、乾燥状態でよいので、重量面も有利である。
【００２４】
【発明の効果】
以上説明したように、請求項１に係る緑化コンクリートによれば、コンクリート部の表面に係止部を露出させるとともにアンカー部をコンクリート部に定着させてフック部材を埋設し、植生基盤をこの係止部に係止させてコンクリート部の表面に固定した構成となっている。これによって、植生シート，マット，土嚢等の植生基盤を確実に固定することができ、緑化コンクリートの全面に植物を根付かせて緑化を図ることができる。このとき、この緑化コンクリートは、従来のように、多孔質コンクリート中に植物を直接根付かせたり、コンクリート部の表面に凹部を形成してここに植物を根付かせたりする必要もないので、低コストでかつその施工も容易に行うことができる。
【００２５】
請求項２に係る緑化コンクリートによれば、コンクリート部の表面にアンカー部をコンクリート部に定着させてフック部材を埋設し、コンクリート部の表面に沿ったネットをフック部材の係止部に係止させ、植生基盤をこのネット上に形成する構成となっている。これにより、吹き付け土壌，植生シート，マット等の植生基盤がずれないようにネットで固定することができる。このような植生基盤を有した緑化コンクリートにより、その全面に植物を根付かせて緑化を図ることができる。このとき、この緑化コンクリートは、従来のように、多孔質コンクリート中に植物を直接根付かせたり、コンクリート部の表面に凹部を形成してここに植物を根付かせたりする必要もないので、低コストでかつその施工も容易に行うことができる。
【００２６】
請求項３に係る緑化コンクリートの形成方法によれば、フック部材にネットを取り付けるとともに、緑化コンクリートの表面を形成するための型枠に遅延剤を塗布しておき、次いで、型枠にフック部材とネットとを取り付け、しかる後に型枠内にコンクリートを打設し、遅延剤を塗布した部分のコンクリートが硬化する前にコンクリートを水洗いし、しかる後に植物を根付かせるための植生基盤をネット上に形成することを特徴としている。このように、遅延剤を塗布した型枠にネットを取り付けておくことによって、この型枠面に接する部分のコンクリートのみが硬化が遅れ、これを水洗いすれば、ネットを既に硬化した部分のコンクリートの表面から離すことができ、請求項２に係る緑化コンクリートを容易に形成することができる。
【図面の簡単な説明】
【図１】本発明に係る緑化コンクリートの一例を示す断面図である。
【図２】前記緑化コンクリートを形成するに際し、フック部材を型枠に取り付けた状態を示す側面図および断面図である。
【図３】前記フック部材を示す斜視図である。
【図４】本発明に係る緑化コンクリートおよびその形成方法の他の一例を示す断面図である。
【図５】前記緑化コンクリートを形成するに際し、フック部材とネットとを型枠に取り付けた状態を示す側面図および断面図である。
【図６】前記フック部材を示す斜視図である。
【符号の説明】
１，１１  透水性コンクリート（コンクリート）
２，１２  コンクリート部
３，１３  フック部材
３ａ，１３ａ  係止部
４，１５  植生基盤
１４  ネット
１６  上部型枠（型枠）
１７  遅延剤
Ｃ，Ｃ’  緑化コンクリート
【図１】
0003594048.tif 000002
【図２】
0003594048.tif 000003
【図３】
0003594048.tif 000004
【図４】
0003594048.tif 000005
【図５】
0003594048.tif 000006
【図６】
0003594048.tif 000007